(57)【要約】実施形態によっては、コンピュータ装置は、底面を有する外側ハウジングと、底面に取付けるリーク電流放散装置を含み、コンピュータ装置が発生するリーク電流を、コンピュータ装置を支持する表面に放散するように、リーク電流放散装置を構成する。【選択図】図１
2011528149.tif 000002
【特許請求の範囲】
【請求項１】
底面を有する外側ハウジングと、
前記底面に取付けるリーク電流放散装置であって、前記コンピュータ装置が発生するリーク電流を、前記コンピュータ装置を支持する表面に放散するように構成する前記リーク電流放散装置とを含むことを特徴とするコンピュータ装置。
【請求項２】
前記コンピュータ装置は、ノートパソコンを含み、前記底面を前記ノートパソコンのベース底面とすることを特徴とする請求項１に記載のコンピュータ装置。
【請求項３】
前記外側ハウジングは、導電性材料を含むことを特徴とする請求項１に記載のコンピュータ装置。
【請求項４】
前記導電性材料を金属とすることを特徴とする請求項３に記載のコンピュータ装置。
【請求項５】
前記金属をアルミニウムとすることを特徴とする請求項４に記載のコンピュータ装置。
【請求項６】
前記リーク電流放散装置は、弾性内側部材を含むことを特徴とする請求項１に記載のコンピュータ装置。
【請求項７】
前記リーク電流放散装置は、前記内側部材を囲む導電性外層を更に含むことを特徴とする請求項６に記載のコンピュータ装置。
【請求項８】
前記内側部材は、発泡部材を含むことを特徴とする請求項６に記載のコンピュータ装置。
【請求項９】
前記外層は、可撓性の金属製ガスケットを含むことを特徴とする請求項７に記載のコンピュータ装置。
【請求項１０】
前記可撓性の金属製ガスケットを、織編物で構成することを特徴とする請求項９に記載のコンピュータ装置。
【請求項１１】
前記可撓性の金属製ガスケットは、ベリリウム銅製織編物を含むことを特徴とする請求項１０に記載のコンピュータ装置。
【請求項１２】
前記リーク電流放散装置と前記底面との間に配置される導電性パッドを更に含むことを特徴とする請求項１に記載のコンピュータ装置。
【請求項１３】
前記導電性パッドを前記コンピュータ装置のグランドプレーンに電気的に結合させる導体を更に含むことを特徴とする請求項１２に記載のコンピュータ装置。
【請求項１４】
ディスプレイと、
前記ディスプレイに連結するベースであって、導電性材料を含み、内部空間及び底面を画定する外側ハウジングと、前記内部空間に収容するグランドプレーンを含む前記ベースと、
前記ベースの外側ハウジングの前記底面に取付けるリーク電流放散装置であって、前記リーク電流放散装置は導電性外層で囲んだ弾性内側部材を含み、前記ノートパソコンから発生した前記リーク電流が前記リーク電流放散装置へと流れて、前記ノートパソコンを支持する面に放散するように、前記外層を前記グランドプレーンに電気的に結合させる前記リーク電流放散装置とを含むことを特徴とするノートパソコン。
【請求項１５】
前記内側部材は、発泡部材を含むことを特徴とする請求項１４に記載のノートパソコン。
【請求項１６】
前記外層は、可撓性の金属製ガスケットを含むことを特徴とする請求項１５に記載のノートパソコン。
【請求項１７】
ノートパソコンで使用するリーク電流放散装置であって、前記リーク電流放散装置は、
弾性内側部材と、
前記内側部材を囲む可撓性の金属製ガスケットとを含むことを特徴とする放散装置。
【請求項１８】
前記内側部材は、発泡部材を含むことを特徴とする請求項１７に記載の放散装置。
【請求項１９】
前記可撓性の金属製ガスケットは、織編した金属製ガスケットを含むことを特徴とする請求項１８に記載の放散装置。
【発明の詳細な説明】
【背景技術】
【０００１】
今日、多くのノートパソコンは金属製の外側ハウジングを有する。そうしたハウジングは導電性のため、コンピュータの電力系統によって発生したリーク電流は、特に、壁のコンセントに接続した非接地電源ケーブルでコンピュータに給電した場合、外側ハウジングに到達し、コンピュータのユーザに放電される可能性がある。その場合、ユーザが、リーク電流を放電するコンピュータの接地経路としての役割を果たす。こうした放電は、ユーザにとって危険でなく、苦痛でもないが、気になり、且つ不安にさせることがある。
【図面の簡単な説明】
【０００２】
開示したリーク電流放散装置について、以下の図面を参照して、一層良好に理解できるであろう。図面の構成要素は必ずしも正確な縮尺ではない。
【図１】一体化させたリーク電流放散装置を有するコンピュータ装置の１実施形態の底面斜視図である。
【図２】図１のコンピュータ装置の側面図である。
【図３】図１のコンピュータ装置のベースの部分断面側面図であり、リーク電流放散装置とコンピュータ装置のグランドプレーンとの間の電気接続について説明している。
【図４】図１に示したリーク電流放散装置の部分平面図である。
【図５】図１のコンピュータ装置の側面図であり、コンピュータ装置を支持体表面上に載置し、この支持表面へとリーク電流を放散しているところを示している。
【発明を実施するための形態】
【０００３】
上述したように、ノートパソコンの電力系統からのリーク電流は、特にコンピュータのハウジングを金属等の導電性材料で構成した場合、このようなハウジングを介して、コンピュータのユーザに放電する可能性がある。しかしながら、以下で記載するように、かかる放電を、コンピュータを載置する支持面等の別の物体にリーク電流を放散する一体化させたリーク電流放散装置をコンピュータに設けることによって、低減、又は回避できる。実施形態によっては、リーク電流放散装置を、ノートパソコンのベース底面に取付け、リーク電流放散装置は、コンピュータ装置のグランドプレーンと結合する導電性の外面を有する弾性部材を含む。
【０００４】
次に、更に詳細に図面を参照するが、図面において、同様の番号は全図を通して対応する部分を示しており、図１及び図２では、ノートパソコン又は「ラップトップ」コンピュータの形で、コンピュータ装置１００を示している。ノートパソコンを明示し、特定したが、ノートパソコンは単に実施例として引用したことに注意されたい。従って、本開示に関する教示は、コンピュータユーザに放電する可能性があるリーク電流を発生する他のコンピュータ装置にも等しく適用されるものとする。
【０００５】
図１及び図２に示すように、コンピュータ装置１００は、互いに接続するベース１０２とディスプレイ１０４を含む。例として、ベース１０２とディスプレイ１０４をヒンジ（図示せず）で互いに枢結する。ベース１０２は、コンピュータ装置１００の、プロセッサ、メモリ、ハードドライブ等の様々な内部コンポーネントを囲む外側ハウジング１０６を含む。ディスプレイ１０２は、ディスプレイ装置（図１では視認できない）を支持するそれ自体の外側ハウジング１０８を含む。実施形態によっては、少なくともベースの外側ハウジング１０６を、少なくとも金属等の導電性材料で部分的に構成する。例として、ベースの外側ハウジング１０６は、アルミニウムを含む。
【０００６】
図１及び図２で表すように、ベース１０２は、リーク電流放散装置１１２が取付けられる底面１１０を含む。図示した実施形態では、リーク電流放散装置１１２を、底面１１０に沿って横断方向にベース１０２の側面から外側に向けて延在する長尺部材として、構成する（図１参照）。しかしながら、この構成は必須ではなく、他の配置も可能である。
【０００７】
次に、図３を参照すると、リーク電流放散装置１１２は、導電性の外層２０２によって少なくとも部分的に囲んだ弾性内側部材２００を含むことができる。実施形態によっては、内側部材２００は、略平坦な内面２０４と湾曲した外面２０６とを有する発泡部材、ゴム部材、又はゲル部材を含む。実施形態によっては、外層２０２は、内側部材２００周りに巻付ける可撓性の金属製ガスケットを含む。図４の部分図で示すように、外層２０２を、ベリリウム銅製織編物等の織編したガスケット材で構成できる。
【０００８】
また図３を参照すると、リーク電流放散装置１１２は、導電性パッド２０８を更に含むことができ、このパッドは、リーク電流放散装置１１２のベース１０２への取付けを容易にすると共に、外側ハウジング１０６が画定する内部空間２１２に延伸する金属線等の導電体２１０との確実な接続を容易にする。図３で示すように、導体２１０は、リーク電流放散装置１１２から（又はパッド２０８から）、図示した実施形態では、プリント基板２１６に接して設けたコンピュータ装置１００のグランドプレーン２１４まで、延伸している。
【０００９】
図５では、テーブル面等の支持体表面５００に載置したコンピュータ装置１００を説明している。図５で明らかなように、リーク電流放散装置１１２は、支持体表面５００に接触する表面積を大きくするために、コンピュータ装置１００の重さで圧縮される。コンピュータ装置１００が作動すると、特にコンピュータ装置が、非接地電源ケーブルによって供給する電力を使用して作動すると、リーク電流が発生し、このリーク電流は、外側ハウジング１０６に達する可能性があり、コンピュータ装置のユーザに放電する可能性もある。しかしながら、リーク電流放散装置１１２が存在するために、その電流は代わりにリーク電流放散装置を通り支持体表面５００に放散される。そうした放散は、支持体表面５００が高導電性の場合に、一層速く、容易に発生するが、リーク電流放散装置１１２と支持体表面との接触面積が比較的大きければ、支持体表面が比較的非導電性であっても、依然として放散は発生する。所望であれば、リーク電流放散装置１１２の下の支持体表面５００に導電性のプレート又はパッドを提供することによって、かかる放散の速度を速くできる。
【００１０】
以上の開示では、導電性の外層で少なくとも部分的に囲んだ弾性内側部材を含むものとして、リーク電流放散装置について記述したが、別の実施形態も可能であることに注意されたい。そうした１実施形態では、リーク電流放散装置は、コンピュータ装置のベースから延伸する導電性のスプリングフィンガを含むことができる。
【図１】
2011528149.tif 000003
【図２】
2011528149.tif 000004
【図３】
2011528149.tif 000005
【図４】
2011528149.tif 000006
【図５】
2011528149.tif 000007
【国際調査報告】
2011528149.tif 000008
2011528149.tif 000009